(57)【要約】  【課題】  光ディスクとそれが納められる印刷物との相互関連性を容易に証明することができる複合記録物を提供すること。  【解決手段】  照合用表号７は、窓穴４ａから露出される光ディスク２の表面２ｂとカバー紙４の外面とに跨って形成されている。具体的に、この照合用表号７は、窓穴４ａから露出される光ディスク２の表面２ｂとカバー紙４の外面とに跨って形成される証明用の割印である。このように、窓穴４ａから露出する光ディスク２とカバー紙４の外面とに跨って証明用の割印を押印又は印刷しておけば、光ディスク２を印刷物３の一部として関係付けることができ、光ディスク２とそれに対応する印刷物３との間に外見上容易に判別可能な連関性を付与することができる。【選択図】        図１
0003125020.tif 000002
【実用新案登録請求の範囲】
【請求項１】
各種の情報を記録可能に形成され略中心部に保持孔が穿設される光ディスクと、その光ディスクが収容可能に形成され各種情報が紙面に記録表示される印刷物とを備えている複合記録物において、
その印刷物は、
光ディスクよりも大きな平面サイズを有する板紙製のディスク台紙と、
そのディスク台紙の内面に光ディスクを保持するために突設され、光ディスクの保持孔内に嵌脱可能に形成されている保持突起と、
その保持突起が内面に突設されている前記ディスク台紙の一辺に折曲可能に連設され、前記ディスク台紙の内面に対向するように折曲されることで当該ディスク台紙に覆設される板紙製のカバー紙と、
そのカバー紙が前記ディスク台紙に覆設される場合に、前記保持突起によって保持される光ディスクの表面の少なくとも一部を前記カバー紙の外面に露出させる窓穴と、
その窓穴から露出される光ディスクの表面と前記カバー紙の外面とに跨って形成される照合用表号とを備えていることを特徴とする複合記録物。
【請求項２】
前記照合用表号は、前記カバー紙の外面に表示される図形又は模様等の絵模様と、前記窓穴から露出される光ディスクの表面に表示される図形又は模様等の絵模様とが整合可能に形成されていることを特徴とする請求項１記載の複合記録物。
【請求項３】
前記照合用表号は、前記窓穴から露出される光ディスクの表面と前記カバー紙の外面とに跨って表記される証明用署名であることを特徴とする請求項１記載の複合記録物。
【請求項４】
前記照合用表号は、前記窓穴から露出される光ディスクの表面と前記カバー紙の外面とに跨って形成される証明用割印であることを特徴とする請求項１記載の複合記録物。
【請求項５】
前記照合用表号は、前記窓穴から露出される光ディスクの表面と前記カバー紙の外面とに跨って貼付される改ざん防止シールであることを特徴とする請求項１記載の複合記録物。
【請求項６】
前記印刷物は、前記カバー紙における前記ディスク台紙との連設辺に対する対辺に折曲可能に連設される板紙製の裏カバー紙を備えており、
その裏カバー紙は、前記ディスク台紙に対して前記カバー紙が折曲されて覆設される場合に、前記カバー紙に対して折曲されることで、前記ディスク台紙の外面に覆設されて、そのディスク台紙を前記カバー紙との間に挟装して収容するものであることを特徴とする請求項１から５のいずれかに記載の複合記録物。
【請求項７】
前記印刷物は、前記裏カバー紙における前記カバー紙との連設辺に対する対辺に折曲可能に連設される連綴紙を備えており、
その連綴紙は、前記ディスク台紙が前記カバー紙と前記裏カバー紙との間に挟装される場合に、前記裏カバー紙に対して折曲されることで、その裏カバー紙と前記ディスク台紙との間に挟装されて収容されるものであることを特徴とする請求項６記載の複合記録物。
【請求項８】
前記連綴紙は、複数の用紙が前記裏カバー紙に対して蛇腹状に折り畳み可能に連設されるものであることを特徴とする請求項７記載の複合記録物。
【請求項９】
前記印刷物は、前記カバー紙と前記裏カバー紙との連設辺に沿って複数枚の用紙が片側で綴じ合わせられて冊子状に形成される綴込み紙を備えており、
その綴込み紙は、前記ディスク台紙が前記カバー紙と前記裏カバー紙との間に挟装される場合に、その裏カバー紙と前記ディスク台紙との間に挟装されて収容されるものであることを特徴とする請求項６記載の複合記録物。
【請求項１０】
前記保持突起は、光ディスクの保持孔よりも外径が大きな弾性発泡材製の略柱状に形成され、前記ディスク台紙からの突出量が光ディスクの厚みの略１倍から略２倍の範囲とされていることを特徴とする請求項１から９のいずれかに記載の複合記録物。
【請求項１１】
前記窓穴は、その窓穴の開口形状が光ディスクの平面形状に対して小さな相似形に形成されており、前記カバー紙が前記ディスク台紙に覆設される場合に、光ディスクの外周縁が前記窓穴の周縁部によって被覆されるものであることを特徴とする請求項１から１０のいずれかに記載の複合記録物。
【請求項１２】
前記照合用表号に代えて、
前記窓穴から露出される光ディスクの表面に表示される識別用表号と、
その識別用表号に整合すると共に前記印刷物に表示される確認用表号とを備えていることを特徴とする請求項１から１１に記載の複合記録物。
【考案の詳細な説明】
【技術分野】
【０００１】
本考案は、光ディスク及び印刷物の双方を用いて複合的に必要情報を記録することができる複合記録物に関するものである。
【背景技術】
【０００２】
従来、コンパクトディスクなどの光ディスクを収容することが可能な印刷物については、例えば、実開平４−５７５号公報に記載のものなどが提案されている。この公報記載の印刷物は、光ディスクを対向部と表紙との間に挟み込んで、この光ディスクを表紙の透明部に整合させて、その透明部から印刷物内に収容されている光ディスクの有無を確認するようにしたものである。
【考案の開示】
【考案が解決しようとする課題】
【０００３】
しかしながら、上記のディスク収納部付印刷物では、光ディスクが別の内容のものと不正にすり替えられても、そのことを判別することができず、電子情報が記録されている光ディスクと、それを収容した印刷物とが相互に関連するもの同士であるかは、実際に光ディスクの記録内容と印刷物の記録内容とを詳細に比較する必要があり、極めて煩雑であるという問題点があった。
【０００４】
本考案は、上述した問題点を解決するためになされたものであって、光ディスクとそれが納められる印刷物との相互関連性を容易に証明することができる複合記録物を提供することを目的としている。
【課題を解決するための手段】
【０００５】
この目的を達成するために請求項１記載の複合記録物は、各種の情報を記録可能に形成され略中心部に保持孔が穿設される光ディスクと、その光ディスクが収容可能に形成され各種情報が紙面に記録表示される印刷物とを備えており、その印刷物は、光ディスクよりも大きな平面サイズを有する板紙製のディスク台紙と、そのディスク台紙の内面に光ディスクを保持するために突設され、光ディスクの保持孔内に嵌脱可能に形成されている保持突起と、その保持突起が内面に突設されている前記ディスク台紙の一辺に折曲可能に連設され、前記ディスク台紙の内面に対向するように折曲されることで当該ディスク台紙に覆設される板紙製のカバー紙と、そのカバー紙が前記ディスク台紙に覆設される場合に、前記保持突起によって保持される光ディスクの表面の少なくとも一部を前記カバー紙の外面に露出させる窓穴と、その窓穴から露出される光ディスクの表面と前記カバー紙の外面とに跨って形成される照合用表号とを備えている。
【０００６】
この請求項１記載の複合記録物によれば、ディスク台紙に対してカバー紙を展開してから、光ディスクをディスク台紙の内面に向けて、光ディスクの保持孔に保持突起を合わせて押し込むと、光ディスクの保持孔内へ保持突起が嵌入されて、この保持突起を介して光ディスクがディスク台紙の内面に対して保持される。この状態で、カバー紙がディスク台紙の内面に対向するように折曲されると、カバー紙がディスク台紙に覆設されて、光ディスクがカバー紙及びディスク台紙間に挟み込まれる。すると、光ディスクの表面の少なくとも一部がカバー紙の窓穴から露出され、この窓穴から露出する光ディスクの表面とカバー紙の外面とに跨るように照合用表号が形成される。
【０００７】
このようにすれば、照合用表号を施した後に、光ディスク又は印刷物のすり替えが行われれば、照合用表号の破損や、光ディスクと印刷物との照合用表号の不整合が発生するので、これが不正行為が行われたことを示す痕跡となって、かかる不正行為を発見するに際しての手掛かりとなる。一方、すり替え行為などの不正行為がなければ、照合用表号の破損もなく、光ディスクと印刷物との照合用表号も整合するので、光ディスクと印刷物とが正規の組み合わせのものであることが容易に証明される。
【０００８】
請求項２記載の複合記録物は、請求項１記載の複合記録物において、前記照合用表号は、前記カバー紙の外面に表示される図形又は模様等の絵模様と、前記窓穴から露出される光ディスクの表面に表示される図形又は模様等の絵模様とが整合可能に形成されている。
【０００９】
この請求項２記載の複合記録物によれば、請求項１記載の複合記録物と同様に作用する上、例えば、光ディスクと印刷物とが正規の組み合わせである場合は、印刷物のカバー紙の絵模様と光ディスクの絵模様とが整合するので、これを証拠として、光ディスクのすり替え行為などの不正行為がなされていないことを証明することができる。一方、印刷物のカバー紙の絵模様と光ディスクの絵模様とが不整合となるならば、これを証拠として、光ディスクのすり替え行為などの不正行為の介在を証明することができる。
【００１０】
請求項３記載の複合記録物は、請求項１記載の複合記録物において、前記照合用表号は、前記窓穴から露出される光ディスクの表面と前記カバー紙の外面とに跨って表記される証明用署名である。
【００１１】
この請求項３記載の複合記録物によれば、請求項１記載の複合記録物と同様に作用する上、例えば、光ディスクと印刷物とが正規の組み合わせである場合は、証明用署名がカバー紙と光ディスクとに跨って一連に整合した状態で表記されるので、これを証拠として、光ディスクのすり替え行為などの不正行為がなされていないことを証明することができる。
【００１２】
一方、例えば、証明用署名におけるカバー紙側と光ディスク側とで繋がり具合が不自然な場合や、双方で筆跡が異なるような場合や、その一方側の証明用署名が欠損しているような場合には、これを証拠として、光ディスクのすり替え行為などの不正行為の介在を証明することができる。
【００１３】
請求項４記載の複合記録物は、請求項１記載の複合記録物において、前記照合用表号は、前記窓穴から露出される光ディスクの表面と前記カバー紙の外面とに跨って形成される証明用割印である。
【００１４】
この請求項４記載の複合記録物によれば、請求項１記載の複合記録物と同様に作用する上、例えば、光ディスクと印刷物とが正規の組み合わせである場合は、印刷物のカバー紙と光ディスクとに跨って整合した証明用割印が形成されるので、これを証拠として、光ディスクのすり替え行為などの不正行為がなされていないことを証明することができる。一方、例えば、証明用割印におけるカバー紙側と光ディスク側とで繋がり具合が不自然な場合などには、これを証拠として、光ディスクのすり替え行為などの不正行為の介在を証明することができる。
【００１５】
請求項５記載の複合記録物は、請求項１記載の複合記録物において、前記照合用表号は、前記窓穴から露出される光ディスクの表面と前記カバー紙の外面とに跨って貼付される改ざん防止シールである。
【００１６】
この請求項５記載の複合記録物によれば、請求項１記載の複合記録物と同様に作用する上、例えば、光ディスクと印刷物とが正規の組み合わせである場合は、改ざん防止シールがカバー紙と光ディスクとに跨った状態で破損されることなく貼付されているので、これを証拠として、光ディスクのすり替え行為などの不正行為がなされていないことを証明することができる。
【００１７】
一方、例えば、改ざん防止シールが剥がされるなどして破損している場合には、その開封を示す痕跡が光ディスクの表面又はカバー紙の外面に残存するので、これを証拠として、光ディスクのすり替え行為などの不正行為の介在を証明することができる。
【００１８】
請求項６記載の複合記録物は、請求項１から５のいずれかに記載の複合記録物において、前記印刷物は、前記カバー紙における前記ディスク台紙との連設辺に対する対辺に折曲可能に連設される板紙製の裏カバー紙を備えており、その裏カバー紙は、前記ディスク台紙に対して前記カバー紙が折曲されて覆設される場合に、前記カバー紙に対して折曲されることで、前記ディスク台紙の外面に覆設されて、そのディスク台紙を前記カバー紙との間に挟装して収容するものである。
【００１９】
この請求項６記載の複合記録物によれば、請求項１から５のいずれかに記載の複合記録物と同様に作用する上、ディスク台紙の内面に保持突起を介して光ディスクが保持された状態で、カバー紙がディスク台紙に対して折曲されて覆設されて、更に、裏カバー紙がカバー紙に対して折曲されてディスク台紙の外面に覆設される。すると、光ディスクはカバー紙及びディスク台紙間に挟み込まれ、そのディスク台紙はカバー紙と裏カバー紙との間に挟装された状態で収容される。
【００２０】
請求項７記載の複合記録物は、請求項６記載の複合記録物において、前記印刷物は、前記裏カバー紙における前記カバー紙との連設辺に対する対辺に折曲可能に連設される連綴紙を備えており、その連綴紙は、前記ディスク台紙が前記カバー紙と前記裏カバー紙との間に挟装される場合に、前記裏カバー紙に対して折曲されることで、その裏カバー紙と前記ディスク台紙との間に挟装されて収容されるものである。
【００２１】
この請求項７記載の複合記録物によれば、請求項６記載の複合記録物と同様に作用する上、ディスク台紙の内面に保持突起を介して光ディスクが保持された状態で、ディスク台紙がカバー紙の内面側へ向けて折曲され、連綴紙が裏カバー紙の内面側へ向けて折曲され、ディスク台紙の外面と連綴紙の外面とが向かい合わせとなるように、カバー紙に対して裏カバー紙を折曲させると、連綴紙が裏カバー紙とディスク台紙との間に挟装された状態で収容される。
【００２２】
請求項８記載の複合記録物は、請求項７記載の複合記録物において、前記連綴紙は、複数の用紙が前記裏カバー紙に対して蛇腹状に折り畳み可能に連設されるものである。
【００２３】
請求項９記載の複合記録物は、請求項６記載の複合記録物において、前記印刷物は、前記カバー紙と前記裏カバー紙との連設辺に沿って複数枚の用紙が片側で綴じ合わせられて冊子状に形成される綴込み紙を備えており、その綴込み紙は、前記ディスク台紙が前記カバー紙と前記裏カバー紙との間に挟装される場合に、その裏カバー紙と前記ディスク台紙との間に挟装されて収容されるものである。
【００２４】
この請求項９記載の複合記録物によれば、請求項６記載の複合記録物と同様に作用する上、ディスク台紙の内面に保持突起を介して光ディスクが保持された状態で、カバー紙がディスク台紙に対して折曲されて覆設されて、更に、裏カバー紙がカバー紙に対して折曲されてディスク台紙の外面に覆設される。すると、光ディスクはカバー紙及びディスク台紙間に挟み込まれ、そのディスク台紙はカバー紙と裏カバー紙との間に挟装され、なおかつ、ディスク台紙と裏カバー紙との間に複数枚の綴込み紙が挟装された状態で収容される。
【００２５】
請求項１０記載の複合記録物は、請求項１から９のいずれかに記載の複合記録物において、前記保持突起は、光ディスクの保持孔よりも外径が大きな弾性発泡材製の略柱状に形成され、前記ディスク台紙からの突出量が光ディスクの厚みの略１倍から略２倍の範囲とされている。
【００２６】
この請求項１０記載の複合記録物によれば、請求項１から９のいずれかに記載の複合記録物と同様に作用する上、保持突起は弾性発泡材製の略柱状に形成されるので、その端面を台紙表面に貼着させるだけで容易に組み立てられる。しかも、弾性発砲材製の保持突起なので、小径の光ディスクの保持孔内へも弾性変形させながら極めてスムーズに嵌入可能される。
【００２７】
請求項１１記載の複合記録物は、請求項１から１０のいずれかに記載の複合記録物において、前記窓穴は、その窓穴の開口形状が光ディスクの平面形状に対して小さな相似形に形成されており、前記カバー紙が前記ディスク台紙に覆設される場合に、光ディスクの外周縁が前記窓穴の周縁部によって被覆されるものである。
【００２８】
この請求項１１記載の複合記録物によれば、請求項１から１０のいずれかに記載の複合記録物と同様に作用する上、ディスク台紙に保持突起を介して保持された状態で、光ディスクは、窓穴越しに、印刷物のカバー紙の外面に露呈される。このとき光ディスクの外周縁には僅かに窓穴の周縁部によって被覆される格好となるので、光ディスクの表面に最大限に露出させながら、なおかつ、窓穴から光ディスクが脱落するような事態が回避される。
【００２９】
請求項１２記載の複合記録物は、請求項１から１１に記載の複合記録物において、前記照合用表号に代えて、前記窓穴から露出される光ディスクの表面に表示される識別用表号と、その識別用表号に整合すると共に前記印刷物に表示される確認用表号とを備えている。
【００３０】
この請求項１２記載の複合記録物によれば、請求項１から１１に記載の複合記録物に係る照合用表号に代えて、ディスク台紙とカバー紙との間に挟み込まれた光ディスクは、その表面の少なくとも一部がカバー紙の窓穴から露出され、この窓穴から露出する光ディスクの表面に識別用表号が表示される。一方、印刷物には、この識別用表号を照合するための確認用表号が表示されており、この光ディスクの識別用表号が正規のものか否かを照合して確認することができるようにされている。
【００３１】
このようにすれば、例えば、光ディスク又は印刷物のすり替えが行われれば、光ディスクの識別用表号と印刷物の確認用表号とが不整合となるので、不正行為の発見が確実に行われる。一方、このような不正行為がなければ、識別用表号と確認用表号とが整合することとなるので、光ディスクと印刷物とが正規の組み合わせのものであることが容易に証明される。
【考案の効果】
【００３２】
本考案の複合記録物によれば、照合用表号や、識別用表号及び確認用表号を光ディスク及び印刷物に施すことによって、光ディスクと印刷物とに一種の割り符的な機能を持たせることができ、光ディスク及び印刷物からなる複合的な記録物に対して、その信憑性を保証する証明機能を付与できるという効果がある。
【００３３】
特に、請求項１記載の複合記録物によれば、照合用表号の保存状況や、照合用表号の整合状況を確認することで、印刷物と光ディスクとの組み合わせが正規のものであるか否かを容易に判別することができ、照合用表号が整合する場合には、光ディスクと印刷物とが相互間関連性のあるもの同士であることを容易に証明できるという効果がある。
【００３４】
また、請求項６から９のいずれかに記載の複合記録物によれば、印刷物は、ディスク台紙及びカバー紙の他に、裏カバー紙、連綴紙、綴込み紙が設けられるので、その分、印刷物全体としての紙面を拡大できるという効果がある。また、印刷物の厚みも増大するので、その分、印刷物の折り曲げに対する強度を向上できるという効果がある。
【００３５】
また、請求項１２記載の複合記録物によれば、識別用表号と確認用表号との整合状況を確認することで、印刷物と光ディスクとの組み合わせが正規のものであるか否かを容易に判別することができ、識別用表号と確認用表号とが整合する場合には、光ディスクと印刷物とが相互間関連性のあるもの同士であることを容易に証明できるという効果がある。
【考案を実施するための最良の形態】
【００３６】
以下、本考案の好ましい実施例について、添付図面を参照して説明する。図１（ａ）は、本考案の一実施例である証明機能付き複合記録物１の正面図であり、図１（ｂ）は、図１（ａ）の底面図である。図１に示すように、複合記録物１は、主として、各種の電子情報を記録可能に形成されている光ディスク２と、その光ディスク２が収容可能に形成される印刷物３とを備えている。
【００３７】
光ディスク２は、略円形状の保持孔２ａが平面視略中心部に貫穿される円形板状体であり、具体的には、ＣＤやＤＶＤなどの光学的に記録情報を読み取り可能な電子情報記録媒体である。なお、図１に示す光ディスク２に関する代表的な寸法値は、例えば、直径が略１２０ｍｍ、厚みが略１ｍｍ、保持孔２ａの内径が略１５ｍｍである。
【００３８】
印刷物３は、各種情報が紙面に記録又は表示される記録媒体であって、その正面にカバー紙４が設けられ、このカバー紙４の正面略中央に印刷物３に収容される光ディスク２の表面２ｂを外側に露出させる開口部である窓穴４ａが開口形成されている。このため、光ディスク２を印刷物３の外側から見える状態で印刷物３の内部に保持及び収容して付録することができ、光ディスク２の表面２ｂに施されるデザインをカバー紙４の一部として利用することもできる。しかも、印刷物３を展開せずとも、窓穴４ａを通して光ディスク２の存否を確認することもできる。
【００３９】
また、窓穴４ａは、その開口形状が光ディスク２の平面形状と相似形で、なおかつ、光ディスク２の平面形状よりも小さな円形状に形成されており、印刷物３内に保持突起６により保持される光ディスク２と略同心円状に重なり合う。このため、後述するディスク台紙５に保持されている光ディスク２にカバー紙４が覆設される場合に、光ディスク２の外周縁は窓穴４ａの周縁部によって被覆されることとなって、光ディスク２が窓穴４ａから脱落することが防止される。
【００４０】
照合用表号７は、窓穴４ａから露出される光ディスク２の表面２ｂとカバー紙４の外面とに跨って形成されている。具体的に、この照合用表号７は、窓穴４ａから露出される光ディスク２の表面２ｂとカバー紙４の外面とに跨って形成される証明用の割印である。このように、窓穴４ａから露出する光ディスク２とカバー紙４の外面とに跨って証明用の割印を押印又は印刷しておけば、光ディスク２を印刷物３の一部として関係付けることができ、光ディスク２とそれに対応する印刷物３との間に外見上容易に判別可能な連関性を付与することができる。
【００４１】
例えば、光ディスク２側の印影７ａとカバー紙４側の印影７ｂとが整合する場合には、光ディスク２や印刷物３の記録内容同士を照合せずとも、光ディスク２と印刷物３とが正規の組み合わせ同士であることを判別でき、又、光ディスク２側の印影７ａとカバー紙４側の印影７ｂとが不整合となる場合には、光ディスク２と印刷物３との組み合わせが不適切であることを判別することができる。このため、複合記録物１は、その内容について保証が必要となる証書として利用することができる。
【００４２】
なお、窓穴４ａは、必ずしも光ディスク２のほぼ全面を露出させる円形状に限定されるものではなく、そこから光ディスク２の表面２ｂの少なくとも一部を露出可能で、かつ、光ディスク２の表面２ｂとカバー紙４との間に跨った状態で照合用表号７を形成することができれば、適宜変更しても良い。例えば、光ディスク２の平面サイズよりも小さな矩形状、円形状、任意形状の小窓状であっても良い。
【００４３】
図２は、印刷物３の展開正面図であって、光ディスク２がディスク台紙５から脱着された状態を図示したものである。印刷物３は、上記したカバー紙４と、これに連設されるディスク台紙５及び裏カバー紙８とを備えており、これらのカバー紙４、ディスク台紙５及び裏カバー紙８が１枚の紙材から形成されている。なお、印刷物３は、その全ての紙面が印刷スペースとして利用可能なものである。
【００４４】
これらのカバー紙４、ディスク台紙５及び、裏カバー紙８を形成する紙材は、例えば、弾性的可撓性及び剛性強度のある板紙（JIS_P0001（番号4001）及びJIS_Z0108（番号2002）参照）で形成されており、なかでも特に、白ボールやマニラボールなどの白板紙（JIS_Z0108（番号2013）参照）が好適である。また、このカバー紙４等を形成する紙材の厚みは光ディスク２の厚みよりも薄いものが用いられている。
【００４５】
ディスク台紙５は、光ディスク２を保持するための基材であって、光ディスク２よりも大きな平面サイズを有した平面視略縦長矩形状に形成されている。このディスク台紙５に光ディスク２が保持された状態において、カバー紙４がディスク台紙５に覆設されると、光ディスク２の表面２ｂは、上記した窓穴４ａを通してカバー紙４の外面に露出されるのである。
【００４６】
保持突起６は、ディスク台紙５の内面に光ディスク２を保持するものであり、ディスク台紙５の内面略中央部に突設されている。この保持突起６は、光ディスク２の保持孔２ａ内に嵌脱可能に形成されており、光ディスク２の保持孔２ａ内に嵌合されることで光ディスク２をディスク台紙５の内面に当接させた状態で保持することができる。
【００４７】
カバー紙４は、ディスク台紙５と略等しい平面サイズに形成されている。カバー紙４は、その一方の長辺（左辺）がディスク台紙５における一方の長辺（右辺）に筋目９を介して折曲可能に連設されており、この筋目９に沿ってディスク台紙５の内面に対向するように折曲されることで当該ディスク台紙５に覆設されるものである（図４参照）。このカバー紙４があることで、ディスク台紙５上に保持される光ディスク２を覆って保護することができる。
【００４８】
裏カバー紙８は、ディスク台紙５及びカバー紙４と略等しい平面サイズに形成されており、その一方の長辺（左辺）がカバー紙４における他方の長辺（右辺）に筋目１０を介して折曲可能に連設されている。この裏カバー紙８が連設されるカバー紙４の長辺は、カバー紙４におけるディスク台紙５との連設辺（図中の左辺であって筋目９のある辺）に対する対辺に相当するものである。
【００４９】
この裏カバー紙８は、ディスク台紙５に対してカバー紙４が折曲されて覆設される場合に、カバー紙４に対して折曲されることで、ディスク台紙５の外面に覆設されて、そのディスク台紙５をカバー紙４との間に挟装して収容するものである。このように、印刷物３は、光ディスク２をディスク台紙５、カバー紙４及び裏カバー紙８によって包み込むようにして収容できるものである（図１（ｂ）参照）。
【００５０】
図３は、図２のＩＩＩ−ＩＩＩ線における拡大断面図であって、特に、図３（ａ）は、光ディスク２の取り付け前の状態を、図３（ｂ）は、光ディスク２の取り付け後の状態を図示したものである。保持突起６は、例えば、発泡ウレタンなどの弾性発泡材で弾性変形可能に形成されており、図３（ａ）に示すように、光ディスク２の保持孔２ａよりも外径が大きな弾性発泡材製の略円柱状に形成されている。
【００５１】
ここで、保持突起６の突出量（高さ）は、光ディスク２の厚みの略１倍から略２倍程度の範囲内とされている。なお、本実施例における保持突起６は、例えば、その外径が光ディスク２の保持孔２ａの内径に比べて略１ｍｍ前後大きく形成され、その突出量が略１．０ｍｍ〜略２．０ｍｍの範囲とされている。
【００５２】
また、保持突起６は、その下端面がディスク台紙５の上面に接着剤などを介して貼着されて植立されている。このため、保持突起６とディスク台紙５との貼着部には段差がなく、ディスク台紙５に光ディスク２が保持される場合に、光ディスク２の表面２ｂ全体がディスク台紙５から浮き上がってガタつくことが防止される。しかも、保持突起６の取り付けは、それをディスク台紙５の表面に貼着させるだけなので、複合記録物１の組立作業を容易に行うことができる。
【００５３】
更に、弾性発砲材製の保持突起６であれば、図３（ｂ）に示すように、保持突起６の外径よりも小さな内径の光ディスク２の保持孔２ａ内へも弾性変形させながら極めてスムーズに嵌入されるので、保持突起６自体を光ディスク２の保持孔２ａに押し込むようにするだけで、極めて簡単に光ディスク２を保持できる。
【００５４】
次に、図１から図４を参照して、複合記録物１の組立方法について説明する。ここで、図４（ａ）は、印刷物３のカバー紙４とディスク台紙５とを折り重ねた状態を示す正面図であり、図４（ｂ）は、図４（ａ）のＢ−Ｂ線における断面図である。
【００５５】
上記のように構成された複合記録物１によれば、その印刷物３を図２に示す展開状態にしてから、図３（ａ）に示すように光ディスク２をディスク台紙５の内面へ向けて押し込むと、図３（ｂ）に示すように、光ディスク２の保持孔２ａ内へ保持突起６が弾性変形された状態で嵌入される。すると、光ディスク２は、保持突起６を介してディスク台紙５の内面に保持される。
【００５６】
この後、ディスク台紙５とカバー紙４との連設辺にある筋目９に沿って、ディスク台紙５の内面に対向するようにカバー紙４を折曲して、図４に示すようにディスク台紙５にカバー紙４を折り重ねる。それから更に、カバー紙４と裏カバー紙８との連設辺にある筋目１０に沿って、裏カバー紙８をディスク台紙５の外面に対向させるように折曲すると、図１に示すように印刷物３内に光ディスク２が収容される。
【００５７】
それから、印刷物３の窓穴４ａから露出される光ディスク２の表面２ｂとカバー紙４の外面とに跨って証明用の割印を押印又は印刷すれば、窓穴４ａから露出される光ディスク２の表面２ｂとカバー紙４の外面とに跨った照合用表号７が形成される。なお、照合用表号７の押印箇所数や印刷箇所数は、必ずしも２箇所に限定されるものではなく、１箇所又は３箇所以上に形成するようにしても良く、例えば、本実施例では照合用表号である証明用割印を１箇所又は３箇所以上に押印又は印刷するようにしても良い。
【００５８】
次に、図５から図８を参照して、上記実施例の変形例について説明する。以下、第１実施例と同一の部分には同一の符号を付して、その説明を省略し、異なる部分のみを説明する。
【００５９】
図５（ａ）は、第２実施例の複合記録物２０の正面図であり、図５（ｂ）は、第３実施例の複合記録物３０の正面図であり、図６（ａ）は、第４実施例の複合記録物４０の正面図であり、図６（ｂ）は、第５実施例の複合記録物５０の正面図である。この第２から第５実施例のいずれかに記載の複合記録物２０，３０，４０，５０は、上記した第１実施例の複合記録物１に対して、照合用表号の形態を変更したものである。
【００６０】
図５（ａ）に示すように、第２実施例の複合記録物２０によれば、その照合用表号２１は、窓穴４ａから露出される光ディスク２の表面２ｂに表示される図形又は模様等の絵模様２１ａと、カバー紙４の外面に表示される図形又は模様等の絵模様２１ｂとが整合可能に形成されている。例えば、照合用表号２１として機能する絵模様２１ａは、光ディスク２の表面２ｂに表示される種々のデザイン画であり、絵模様２１ｂは、絵模様２１ａと整合可能にカバー紙４に表示されるデザイン画である。
【００６１】
なお、本実施例の絵模様２１ａ，２１ｂは光ディスク２及びカバー紙４の双方の全面に表示されるものであったが、かかる絵模様の形態は、必ずしもこれに限定されるものではなく、例えば、窓穴から露出される光ディスクの表面とカバー紙の外面との双方に跨った状態で、且つ、光ディスク及びカバー紙に局部的に表示されるような絵模様の形態であっても良い。
【００６２】
図５（ｂ）に示すように、第３実施例の複合記録物３０によれば、その照合用表号３１は、窓穴４ａから露出される光ディスク２の表面２ｂとカバー紙４の外面とに跨って表記される証明用署名である。この証明用署名としては、例えば、証明者が光ディスク２とカバー紙４とに跨るようにして直接筆記した自筆のサインを用いることができる。
【００６３】
図６（ａ）に示すように、第４実施例の複合記録物４０によれば、その照合用表号４１は、窓穴４ａから露出される光ディスク２の表面２ｂとカバー紙４の外面とに跨って貼付される改ざん防止シールである。この照合用表号４１である改ざん防止シールは、光ディスク２の表面２ｂとカバー紙４の外面とから剥がされると、その双方の面に「開封済」の表示を残存させて開封の痕跡を残すものである。
【００６４】
図６（ｂ）に示すように、第５実施例の複合記録物５０によれば、窓穴４ａから露出される光ディスク２の表面２ｂには識別用番号５１が表示されており、印刷物３のカバー紙４の外面には識別用表号５１に整合する、例えば、光ディスク２と同じ内容の確認用番号５２が表示されている。
【００６５】
なお、印刷物３側の確認用番号５２の表示箇所は、必ずしもカバー紙４の外面に限定されるものではなく、例えば、ディスク台紙５の内面又は外面、カバー紙４の内面、裏カバー紙８の内面又は外面であっても良く、また、後述する第６又は第７実施例の場合にあっては連綴紙６１や綴込み紙７１の紙面であっても良い。
【００６６】
図７（ａ）は、第６実施例の印刷物６０の展開正面図であり、図７（ｂ）は、連綴紙６１を折り曲げた印刷物６０の底面図である。図７（ａ）に示すように、印刷物３は、裏カバー紙８におけるカバー紙４との連設辺に対する対辺に折曲可能に連設される連綴紙６１を備えており、この連綴紙６１は、ディスク台紙５、カバー紙４及び、裏カバー紙８とともに１枚の紙材から形成されている。また、連綴紙６１は、裏カバー紙８と略等しい平面サイズの用紙６１ａが裏カバー紙８に対して複数枚連設されるものであって、各用紙６１ａ間に設けられる筋目６２を介して蛇腹状に折り畳み可能に形成されたものである（図７（ｂ）参照）。
【００６７】
この連綴紙６１は、ディスク台紙５がカバー紙４と裏カバー紙８との間に挟装される場合に、裏カバー紙８に対して折曲されることで、その裏カバー紙８とディスク台紙５との間に挟装されて収容される。なお、連綴紙６１の形態は必ずしも複数枚の用紙６１ａが蛇腹状に連設されたものである必要はなく、例えば、裏カバー紙８と略等しい平面サイズの用紙６１ａがただ１枚だけ連設されるような形態であっても良い。
【００６８】
図８（ａ）は、第７実施例の印刷物７０の展開正面図であり、図８（ｂ）は、図８（ａ）の底面図である。図８に示すように、印刷物７０は、カバー紙４と裏カバー紙８との連設辺に沿って複数枚の用紙７１ａが片側で綴じ合わせられて冊子状に形成される綴込み紙７１を備えており、この綴込み紙７１は、ディスク台紙５がカバー紙４と裏カバー紙８との間に挟装される場合に、その裏カバー紙８とディスク台紙５との間に挟装されて収容される。
【００６９】
以上、実施例に基づき本考案を説明したが、本考案は上記実施例に何ら限定されるものではなく、本考案の趣旨を逸脱しない範囲内で種々の改良変形が可能であることは容易に推察できるものである。例えば、第１から第５実施例のいずれかに記載の複合記録物１，２０，３０，４０，５０では印刷物３に裏カバー紙８を設けたが、かかる印刷物の構成は必ずしもこれに限定されるものではなく、最小限の構成としてディスク台紙５と、カバー紙４と、それらを連結する筋目と、保持突起６とがあれば良い。
【図面の簡単な説明】
【００７０】
【図１】（ａ）は、本考案の一実施例である複合記録物の正面図であり、（ｂ）は、（ａ）の底面図である。
【図２】印刷物の展開正面図である。
【図３】図２のＩＩＩ−ＩＩＩ線における拡大断面図であって、特に、（ａ）は、光ディスクの取り付け前の状態を、（ｂ）は、光ディスクの取り付け後の状態を図示したものである。
【図４】（ａ）は、印刷物のカバー紙とディスク台紙とを折り重ねた状態を示す正面図であり、（ｂ）は、（ａ）のＢ−Ｂ線における断面図である。
【図５】（ａ）は、第２実施例の複合記録物の正面図であり、（ｂ）は、第３実施例の複合記録物の正面図である。
【図６】（ａ）は、第４実施例の複合記録物の正面図であり、（ｂ）は、第５実施例の複合記録物の正面図である。
【図７】（ａ）は、第６実施例の印刷物の展開正面図であり、（ｂ）は、連綴紙を折り曲げた印刷物の底面図である。
【図８】（ａ）は、第７実施例の印刷物の展開正面図であり、（ｂ）は、（ａ）の底面図である。
【符号の説明】
【００７１】
１，２０，３０，４０，５０  複合記録物
２                          光ディスク
２ａ                        保持孔
３，６０，７０              印刷物
４                          カバー紙
４ａ                        窓穴
５                          ディスク台紙
６                          保持突起
７，２１，３１，４１        照合用表号
８                          裏カバー紙
５１                        識別用表号
５２                        確認用表号
６１                        連綴紙
６１ａ                      連綴紙の各用紙
７１                        綴込み紙
７１ａ                      綴込み紙の各用紙
【図１】
0003125020.tif 000003
【図２】
0003125020.tif 000004
【図３】
0003125020.tif 000005
【図４】
0003125020.tif 000006
【図５】
0003125020.tif 000007
【図６】
0003125020.tif 000008
【図７】
0003125020.tif 000009
【図８】
0003125020.tif 000010